(57)【要約】      （修正有）【課題】操作が単純であると共に、単純な機械構成や少数の部品をも特徴とするベルト高さ調節装置を提供する。【解決手段】支持構造体１と枢動可能に連結されるレバー２と相対的に回転移動可能なベルト偏向式連結具３を有し、更に固定装置を有し、固定装置により支持構造体１と相対的な枢動移動に対して固定されることが可能である。固定装置は、ラッチ４および歯状部５から形成され、下方向へのレバー２の枢動を阻止するように構成され、レバー２の上方向への移動に際して、所定のレバー角度位置で自動的に係合するように構成される。レバーが更に上方へ移動すると、上側固定位置を超えた時に無効とされ、また、レバー２は固定位置に留まることなく、所定の構造的により低い位置にもたらされることが可能であり、レバー２の続く上方への移動に際して再度作動させられ、レバー２の下方への移動を阻止する。【選択図】図２
2014054977.tif 000002
【特許請求の範囲】
【請求項１】
車両シートの支持構造体（１）に固定連結されるベルト高さ調節装置であって、
レバー（２）と、前記レバー（２）と相対的に回転移動可能なベルト偏向式連結具（３）を有し、
前記レバー（２）は回転軸を有し、前記回転軸により前記支持構造体（１）と枢動可能に連結されており、
前記レバー（２）は更に固定装置を有し、前記固定装置により、前記支持構造体（１）と相対的な枢動移動に対して固定されることが可能であり、
前記固定装置は、
前記支持構造体（１）と相対的な下方向への前記レバー（２）の枢動を阻止するように構成され、
前記レバー（２）の上方向への移動に際して、所定のレバー角度位置で自動的に係合するように構成され、
前記レバーが更に上方へ移動すると、上側固定位置を超えた時に無効とされ、且つ、前記レバー（２）は固定位置に留まることなく、所定の構造的により低い位置にもたらされることが可能であり、
ラッチ（４）および歯状部（５）から形成され、前記ラッチ（４）の第１フリーホイールコーナ（１８）は前記歯状部（５）のフリーホイールカーブ（２０）上でばね負荷がかけられた状態にあると共に、前記レバー（２）の回転に際して、前記カーブに沿って移動するように構成され、
前記レバー（２）の続く上方への移動に際して、再度作動させられ、前記レバー（２）の下方への移動を阻止する
ベルト高さ調節装置。
【請求項２】
前記ラッチ（４）は、一片に成形された係止突起（１１）により、ばね力負荷を伴い前記歯状部（５）の割り当てられた係止凹部に係入する、請求項１に係るベルト高さ調節装置。
【請求項３】
前記レバー（２）は、前記支持構造体（１）と強固に連結されると共に、止めねじ（８）用保持要素として機能する連結具（７）を介して連結され、前記レバー（２）は前記止めねじ（８）により、前記連結具（７）に対して所定位置に取付けられると共に、そこに回転可能に取付けられる、請求項１または２に係るベルト高さ調節装置。
【請求項４】
前記止めねじ（８）の中心軸によって定められる前記レバー（２）の揺動軸は、前記レバー（２）の第１端部で具体化され、前記ベルト偏向式連結具（３）は、前記レバー（２）の第２端部で具体化される、請求項１乃至３のいずれか一項に係るベルト高さ調節装置。
【請求項５】
案内板（９）は前記レバー（２）の固定位置に配置され、前記案内板は、適当な手段を用いて前記歯状部（５）を部分的に取り囲み、それにより前記支持構造体（１）によって挟持される主要面に対して垂直方向への前記レバー（２）の移動を制限する、請求項１乃至４のいずれか一項に係るベルト高さ調節装置。
【請求項６】
揺動レバー（１０）は前記ラッチ（４）と、ねじれを防止するように連結され、前記ラッチ（４）および前記揺動レバー（１０）は、前記レバー（２）の割り当てられた穴の中で、連結状態で揺動可能であるように据付けられる、請求項１乃至５のいずれか一項に係るベルト高さ調節装置。
【請求項７】
前記ラッチ（４）には、前記係止突起（１１）の左側および右側に案内突起（１２）が設けられており、前記歯状部（５）の係止輪郭（１３）と係合した時に、前記ラッチ（４）の係止突起（１１）を横方向に案内する、請求項６に係るベルト高さ調節装置。
【請求項８】
前記揺動レバー（１０）は、引張ばね（１６）の第１アイレット（１４）を受け入れる手段（２７）を有し、且つ、前記レバー（２）は、前記揺動レバー（１０）と対向する側面に、前記引張ばね（１６）の第２アイレット（１５）を受け入れる手段を有しており、前記引張ばね（１６）は上記手段によって、前記２個のアイレットによりプレテンション状態で受け入れられる、請求項７に係るベルト高さ調節装置。
【請求項９】
支持構造体（１）を備えた車両シートであって、前記支持構造体（１）には、請求項１乃至８のいずれか一項に係るベルト高さ調節装置が配置される、車両シート。
【請求項１０】
前記ベルト高さ調節装置は、前記レバー（２）の揺動軸が、前記支持構造体（１）によって挟持される主要面と垂直であるように、前記支持構造体（１）の背面領域に配置される、請求項９に係る車両シート。
【発明の詳細な説明】
【技術分野】
【０００１】
本発明は、レバーと、レバーと相対的に回転移動可能であるベルト偏向式連結具を有し、市販車両シート用の車両シート支持構造体に固定連結されるベルト高さ調整装置に関する。
【背景技術】
【０００２】
一体式ベルトを有する車両シートでの安全ベルトの装着感を高めるために、この種のシートでは、ベルト上部の位置を独立して調節または変化させる装置を有することが知られている。ここで、ベルト紐の上側取出口位置は、乗員の体格や他の身体的特徴に合わせて調節することができる。従って大柄な乗員の場合には、小柄な乗員の場合よりも上側取出口位置が高いことが望ましい。また、取出口溝の水平方向に対する角度を、夫々の乗員に合うように個々に調節可能であると有利である。市販の車両は通常、空気圧式または機械式弾性振動システムを装備しているので、上記の問題は、このような車両シートの場合に一層深刻である。上側ベルト偏向装置のＢピラーへの固定取付けは、快適性の理由から好ましくなく、この種の車両シートでは特に、考えられる唯一のベルトシステムは、車両シートに取付けられるものである。
【０００３】
この種の周知の装置では、調節や操作のための取り扱い性を向上させる必要がある。
【０００４】
車両シートの支持構造体に固定連結されるベルト高さ調節装置は、特許文献１から周知である。この装置は、レバーと、レバーと相対的に移動可能なベルト取出口部分を有する。
【０００５】
特許文献１の装置の欠点としては、高さ調節操作である。調節工程を開始するために、使用者は最初に、係止機構を能動的に無効にしなければならない。これを行うために、係止ピンを割り当てられた係止凹部から外すように移動させるために、対応するレバーをばね力に抗して引っ張る必要がある。そうすることによって初めて実際の調節工程が行われ、レバー、ひいてはその自由端に配置される上側ベルト位置が、車両シートの上側背もたれ部分に位置する枢軸点周りを回転させられる。また、レバーへの引っ張り力は、調節工程全体で維持されなければならない。特に、上側ベルト点位置が一つの係止工程よりも多くの工程によって変化させられる時には、これは、快適性の基準に関して最適ではない。
【先行技術文献】
【特許文献】
【０００６】
【特許文献１】ドイツ国実用新案登録公開第２０  ２０１０  ０１２  ７４２  Ｕ１号公報
【発明の概要】
【発明が解決しようとする課題】
【０００７】
従って、本発明の目的は、操作が単純であると共に、単純な機械構成や少数の部品をも特徴とするベルト高さ調節装置を提供することである。
【課題を解決するための手段】
【０００８】
上記目的は、車両シートの支持構造体に固定連結されるベルト高さ調節装置によって達成され、本装置は、レバーと、レバーと相対的に回転移動可能なベルト偏向式連結具を有する。レバーは回転軸を有し、この回転軸により支持構造体に枢動可能に連結される。レバーは更に固定装置を有し、この固定装置により、支持構造体と相対的な枢動移動に対して固定される。固定装置は、特に支持構造体と相対的なレバーの下方向への枢動を阻止するように構成される。固定装置はまた、レバーの上方への移動に際して、所定のレバー角度位置で自動的に係合するように構成される。更に上方へ移動すると、レバー固定装置は、上側固定位置を超えた時に無効とされ、レバーは、固定位置に留まることなく、構造的に予め定められたより下側の位置にもたらされる。固定装置はラッチおよび歯状部から形成され、ラッチの第１フリーホイールコーナは、歯状部のフリーホイールカーブ上でばね負荷がかけられた状態にあると共に、レバーの回転に際してカーブに沿って移動するように構成され、また固定装置は、続くレバーの上方への移動に際して作動させられ、レバーの下方への移動を阻止する。
【０００９】
当初、ベルト偏向式連結具の高さ位置が下方へ変化することは不可能である。しかし、ベルト偏向式連結具は、レバーを回転させることにより、より高い位置にすることができる。上方への移動により、レバーは、所定のレバー角度位置に沿って係止させられる。
【００１０】
レバー角度位置は、レバーが夫々の係合に際して回転軸の周りを回転する間に選択し得る規定角度をいう。
【００１１】
最も高い係止位置に到達した後、レバーは同じ方向に更に回転し、ベルト偏向式連結具の高さ位置が低下、即ち下方へ変化させられる。この間、レバーは、固定位置に留まることなく、構造的に予め定められたより下側の開始位置へもたらされ、これは同時に、より下側の使用位置を表わす。
【００１２】
この場合、車両シートの支持構造体は、車両シートの後部フレームに対応する。この後部フレームは、図１に示すように、下側ベース部分およびベース部分に回転可能に連結される上側部分から構成され、従って、所謂ショルダーアジャスタを含んでもよい。しかし後部フレームは、一片として、即ちショルダーアジャスト機能を有することなく具体化されてもよい。
【００１３】
使用される全ての構成要素は、好適には、例えば金属、合金などの耐久性があり、硬く、ねじれ難い材料から作られる。
【００１４】
単純な機構により、確実で操作が容易なベルト調節を可能にするベルト高さ調節装置が提供される。
【００１５】
本発明の有利な発展形としては、ラッチおよび歯状部から形成される固定装置により、一片に成形された係止突起によってばね力負荷がかけられた状態で、ラッチは歯状部の割り当てられた係止凹部に係入するように構想される。この種の実施形態によれば、ラッチを歯状部に沿って最適に案内することが可能となり、係止突起は、乗員によって所望される位置に従って、歯状部の割り当てられた係止凹部に係止すると共に、ばね力負荷によってそこで係止され続ける。
【００１６】
本発明の別の有利な発展形としては、レバーは支持構造体に強固に連結されると共に、止めねじ用保持要素として機能する連結具を介して連結されるように構想される。レバーは、止めねじにより連結具に対して所定位置に取付けられると共に、そこに回転可能に取付けられる。止めねじの使用は、連結具のノントルク連結を極めて単純に可能にする。
【００１７】
連結具自体は好適には、溶接、リベットまたはねじ接合により、支持構造体に連結される。
【００１８】
本発明の別の有利な発展形としては、レバーが自己支持構造として構成されると共に、３つの側面で取り囲まれ成形された範囲を備える略Ｃ字形輪郭からなり、包囲された輪郭を形成するためにカバーが補われるように構想される。ここで、輪郭の成形範囲はとりわけ、頭部衝撃テストに対する適用要件を満たすように位置および寸法が決められる。これらの要件は、当該技術分野に属する者には周知のものであり、従って、詳細には説明しない。輪郭およびカバーは好適には、溶接接合により連結されるが、最先端から当該技術分野に属する者に周知の他の連結方法、例えばねじ接合であっても可能である。
【００１９】
本発明の別の有利な発展形としては、レバーのカバーを移動方向と対向するレバー側面に位置決めする一方で、略Ｃ字形状の輪郭が移動方向に閉じられることが構想される。
【００２０】
本発明の別の有利な発展形としては、止めねじ中心軸によって定められるレバーの揺動軸は、レバーの第１端部で具体化され、ベルト偏向式連結具はレバーの第２端部で具体化されることが構想される。レバーは、第１端部が回転可能であるように支持構造体に取付けられる。ベルト偏向式連結具は第２端部に取付けられる。レバーの第２端部は、ベルトを都合よく案内するために、背もたれフレームの支持構造を超えて突出する。
【００２１】
本発明の別の有利な発展形としては、レバーの案内板は固定位置に配置されるように構想されており、適当な手段を介して歯状部を部分的に取り囲み、ひいては、支持構造体によって挟持される主要面に対して垂直方向へのレバーの移動を制限する。案内板を使用することにより、支持構造体によって挟持される主要面に対して垂直方向へのレバーの移動を制限することが、極めて単純に可能となる。レバーに案内板を使用することにより、装置を歯状部に沿って移動させる。これにより、レバー、ひいてはベルト偏向式連結具の上方および下方への所定の移動を設定することができる。
【００２２】
案内板自体は好適には、溶接、リベットまたはねじ接合により、レバーと連結される。
【００２３】
本発明の別の有利な発展形としては、揺動レバーは、ねじれから保護されるようにラッチと連結されるように構想され、ラッチおよび揺動レバーは、レバーの割り当てられた穴の中で、結合回転するように据付けられる。これにより、構造的に単純に、ねじれを防ぐことができる。
【００２４】
揺動レバーは好適には、ラッチの連続部分に挿入されるようにラッチと連結され、ねじれを防ぐように受け入れられると共に、ねじで捕えられるように締め付けられる。
【００２５】
本発明の別の有利な発展形としては、ラッチには、係止突起の左側および右側に案内突起が設けられており、歯状部の係止輪郭と係合した時に、ラッチの係止突起を横方向に案内するように構想される。取付け状態において、この案内突起は、歯状部を互いの間で受け入れ、ラッチの係止突起が歯状部の係止輪郭から滑り落ちることがないようにする。
【００２６】
本発明の別の有利な発展形としては、揺動レバーは、引張ばねの第１アイレットの受入れ手段を有し、また、レバーは揺動レバーと対向する側に、引張ばねの第２アイレットの受入れ手段を有しており、引張ばねは上記手段により、２個のアイレットによってプレテンション状態で受け入れられるように構想される。据付けられた揺動レバーを介して、揺動レバーの枢動により、引張ばねの長さが変化し、引張ばねはその端部により、一方で揺動レバーに吊るされ、他方で割り当てられた受入れ装置に吊るされる。
【００２７】
本発明の目的はまた、請求項９の特徴を備えたベルト高さ調節装置が配置される支持構造体を有する車両シートにより達成される。
【００２８】
本発明の有利な発展形の一つとしては、ベルト高さ調節装置は、レバー揺動軸が支持構造体によって挟持される主要面と垂直に位置するように、支持構造体の後側領域に配置される。これにより、支持構造体の後側領域において、ベルト高さ調節装置の直接的で単純、且つ摩擦のない移動が確実となる。上述したように、ベルト高さ調節装置は、レバー、ひいてはベルト偏向式連結具の上方および下方への所定の移動をもたらすことを目的とする。
【００２９】
本発明の更なる効果および詳細を、図面に示す実施例を参照して説明する。
【図面の簡単な説明】
【００３０】
【図１】本発明に係るベルト高さ調節装置を備えた車両シートの後部フレームの支持構造体全体を示す図。
【図２】図１からの本発明に係るベルト高さ調節装置を備えた車両シートの後部フレームの上側支持構造体を示す図。
【図３】図２からの本発明に係るベルト高さ調節装置を備えた車両シートの後部フレームの上側支持構造体を示す背面図。
【図４】図２からの本発明に係るベルト高さ調節装置のラッチを示す拡大図。
【図５】図３からの本発明に係るベルト高さ調節装置の揺動レバーを示す拡大図。
【図６】図２からの本発明に係るベルト高さ調節装置の細部Ａを示す図。
【発明を実施するための形態】
【００３１】
図１は、車両シートの後部フレームの支持構造体全体図を示しており、本発明に係る装置を示すと共に、本発明には必須ではないショルダアジャスタを有する。本発明に係る装置は、ショルダアジャスタを有する後部フレームに使用することができる。同様に、本発明はショルダアジャスタを有さない後部フレームで使用してもよい。支持構造体は、上側支持構造体１と下側支持構造体３１に分けられる。
【００３２】
図２は、本発明に必須の要素を備えた車両シートの後部フレームの上側支持構造体図を示す。
【００３３】
ベルト高さ調節装置は、極めて単純な構成であると共に、実質的に以下の構成要素、即ち後部フレーム（支持構造体、例えば、ベアリング等）１、レバー２、ベルト偏向式連結具３、ラッチ４、歯状部５、なべネジ６、連結具７、止めねじ８および案内板９からなる。
【００３４】
支持構造体１は、車両シートの背もたれの一部である。連結具７は支持構造体１に取付けられる。ここで、取付けは溶接接合によってもたらされる。当該技術分野に属する者に周知の他の種類の連結、例えばねじ接合も可能である。
【００３５】
レバー２は、止めねじ８によって、連結具７と回転可能に連結される。更に案内板９が溶接接合により、レバー２に強固に連結される。当該技術分野に属する者に周知の他の種類の連結、例えばねじ接合も可能である。
【００３６】
レバー２はその第１端部が、止めねじ８により支持構造体１に回転可能に取付けられる。ベルト偏向式連結具３は、レバー２の第２端部に取付けられる。レバー２の第２端部は、背もたれの支持構造体１を超えて突出しており、これにより、ベルトを都合よく案内することができる。
【００３７】
ここで、偏向式連結具３は、長穴内にベルト紐を受け入れる。偏向式連結具３は、なべねじ６により、レバー２に回転可能に据付けられる。
【００３８】
案内板９は、レバー２の止めねじ８の周りでの枢動の間に、支持構造体面に対して垂直方向へのレバー２の自由度を制限するように、歯状部５を取り囲む。
【００３９】
連結具７と同様に、歯状部５は支持構造体１と連結される。取付けは溶接接合によって行われる。当該技術分野に属する者に周知の他の種類の連結も考えられる。歯状部５は、連結具７と反対側に位置する支持構造体１の内側面に配置される。
【００４０】
ラッチ４は、一片に成形された支持面により、レバー２に回転可能に据付けられる。ラッチ４は歯状部５と作動的に連結される。これら２個の構成要素は、係止装置のベースを形成しており、ここに揺動レバー１０と引張ばね１６も属する（図２を参照）。
【００４１】
図３は、図２からの車両シートの後部フレームの上側支持構造体の背面図を示す。
【００４２】
揺動レバー１０および引張ばね１６は、レバー２の背面、即ち、揺動レバー１０と対向する側に配置される。揺動レバー１０はラッチ４と連結される。（引張ばね１６は、簡素化された形態でのみ示す。）
【００４３】
揺動レバー１０は、引張ばね１６の第１アイレット１４を受け入れる手段を有し、レバー２は、揺動レバー１０と対向する側に、引張ばね１６の第２アイレット１５を受け入れる手段を有しており、引張ばね１６はこれらの手段により、上記２個のアイレットでプレテンション状態で受け入れられる。
【００４４】
揺動レバー１０はラッチ４の連結部分に挿入され、ねじれを防止するように受け入れられると共に、ねじ６で捕えられるように締め付けられる。
【００４５】
図４に示すように、係止突起１１の領域に、ラッチ４は２個の横方向連結部分、即ち案内突起１２を有する。取付け状態において、案内突起１２は歯状部５を互いの間で受入れ、ラッチ４の係止突起１１が歯状部５の係止輪郭１３から滑り落ちることがないようにする。
【００４６】
取付けられた揺動レバー１０を介して、揺動レバー１０の枢動により、ばね１６の長さが変化させられ、ばね１６は一方で端部により揺動レバー１０に吊るされ、また他方でレバー２の背面上で、割り当てられた受入れ装置に吊るされる。
【００４７】
図５は、図３からの本発明に係るベルト高さ調節装置の揺動レバー１０の拡大図を示す。揺動レバー１０は、一端にばねアイレット１４用の差し込み口２７を有し、他端に取付け穴２８を有し、ねじれを防止する。
【００４８】
揺動レバー１０は、ねじれを防止するようにラッチ４に連結されており、ラッチ４および揺動レバー１０は、レバー２の割り当てられた穴（図示なし）内において、連結した状態で揺動可能であるように取付けられる。ここで、取付け穴２８はねじれを防止するようにされており、揺動レバー差し込み口２６と適合し、差し込み口２６は固定ねじ２５の支持面２４上に配置される。
【００４９】
以下に、図６を特に参照して、ベルト高さ調節装置の作動モードをより詳細に説明する。
【００５０】
図６は、図２からの本発明に係るベルト高さ調節装置の細部Ａを示す。
【００５１】
係止状態において、ラッチ４の係止突起１１は、歯状部５の一つの係止面２３上でばね負荷がかけられた状態にある。係止輪郭１３は、全係止面数から形成される。ベルト偏向式連結具３の高さ位置が下方に変更することは不可能である。しかし、ベルト偏向式連結具３は、レバー３を左回りに回転させることにより、より高い位置となる。
【００５２】
係止位置が変化する時は常に、解除される際に、ラッチ４は当初右回りに僅かに枢動し、再係止した際に、左回りに僅かに枢動する。
【００５３】
最も高い係止位置に到達した後、レバー２が左回りに更に回転すると、ラッチ４の制御突起２２が歯状部５の割り当てられた制御コーナ２１と係合して、ラッチ４を右回りにより大きく揺動させる。揺動レバー１０は反転点を超えて回転させられる。
【００５４】
その結果生じるばね力により、ラッチ４の第１フリーホイールコーナ１８は当初、歯状部５のフリーホイールカーブ２０上にばね負荷がかけられた状態にされ、レバー２が止めねじ８の周りを右回りに回転する際に、このカーブに沿って移動する。（フリーホイールカーブ２０は、歯状部５の内部輪郭２９の一部である。）
【００５５】
上記は、ラッチ４の第２フリーホイールコーナ１９が歯状部５のフリーホイールカーブ２０上に位置するようになるまで行われる。その時点で、ラッチ４の第１フリーホイールコーナ１８は、歯状部５のフリーホイールカーブ２０とはもはや接触していない。
【００５６】
ラッチ４の第２フリーホイールコーナ１９は、レバー２の背面にある協働して揺動する揺動レバー１０が第２反転点に達するまで、歯状部５のフリーホイールカーブ２０に沿って摺動する。
【００５７】
これにより、ラッチ４の係止突起１１で、歯状部５の係止輪郭をばね力で再度押圧する。ベルト偏向式連結具３の可能な最低位置に到達し、ここから、レバー２は所望位置へ戻され且つ係止面上で係止する。
【００５８】
本発明に係るベルト高さ調節装置によれば、小型のユニットがもたらされ、これは単純な技術的構成や部品点数の少なさも特徴とし、更に、極めて単純且つ人間工学的に操作することができる。
【符号の説明】
【００５９】
１    上側支持構造体
２    レバー
３    ベルト偏向式連結具
４    ラッチ
５    歯状部
６    なべねじ
７    連結具
８    止めねじ
９    案内板
１０  揺動レバー
１１  係止突起
１２  案内突起
１３  係止輪郭
１４  第１アイレット
１５  第２アイレット
１６  引張ばね
１７  なべねじ
１８  第１フリーホイールコーナ
１９  第２フリーホイールコーナ
２０  フリーホイールカーブ
２１  制御コーナ
２２  制御突起
２３  係止面
２４  支持面
２５  固定ねじ
２６  抗ねじれ保護を備えた揺動レバー差し込み口
２７  ばねアイレット差し込み口
２８  抗ねじれ保護を備えた取付け穴
２９  歯状部の内側輪郭
３０  カバー
３１  下側支持構造体
【図１】
2014054977.tif 000003
【図２】
2014054977.tif 000004
【図３】
2014054977.tif 000005
【図４】
2014054977.tif 000006
【図５】
2014054977.tif 000007
【図６】
2014054977.tif 000008